(57)【要約】【課題】工事現場等において各種情報を表示するために用いることができ、視認性が高く、通行の妨げとならず、かつ、安全に設置することが可能な表示装置及び表示体を提供する。【解決手段】表示装置１は、（Ａ）上辺近傍及び下辺近傍のそれぞれに複数穿設される貫通穴２１１、及び、上辺及び下辺のそれぞれにスライド自在に組み付けられる環状部２３２が設けられた吊り金具２３、を備える表示体２と、（Ｂ）被設置対象部に取り付けられる取付部、及び、貫通穴２１１又は環状部２３２のいずれかに取り付けられる挿入部、を備える複数の表示体設置用部材３、４を有する。表示体２は、貫通穴２１１が複数穿設された表示プレート２１や吊り金具２３等を有する。【選択図】図１
0003219202.tif 000002
【実用新案登録請求の範囲】
【請求項１】
（Ａ）
上辺近傍及び下辺近傍のそれぞれに複数穿設される貫通穴、
及び／又は、
上辺及び下辺のそれぞれにスライド自在に組み付けられ、環状部が設けられた吊り金具、
を備える表示体と、
（Ｂ）
被設置対象部に取り付けられる取付部、
及び、
前記貫通穴又は前記環状部のいずれかに取り付けられる挿入部、
を備える複数の表示体設置用部材と、
を有することを特徴とする表示装置。
【請求項２】
前記表示体設置用部材は、
前記取付部が、前面板部と、後面板部と、当該前面板部の上端と当該後面板部の上端とを連結する連結板部とにより構成される断面逆Ｕ字状の取付部であって、
前記挿入部が、前記前面板部に突設され、先端が上向きに折れ曲る断面Ｌ字状の挿入部であって、
前記後面板部に前後進可能に装着されるボルトを備える取付け金具であることを特徴とする請求項１記載の表示装置。
【請求項３】
前記表示体設置用部材は、ゴムバンドであって、
前記取付部が円環状の輪通し部であり、前記挿入部がカギ状のフックであることを特徴とする請求項１記載の表示装置。
【請求項４】
上辺近傍及び下辺近傍のそれぞれに貫通穴が複数穿設され、上辺及び下辺のそれぞれにガイドレールが取り付けられた矩形状の表示プレートと、
前記ガイドレールのそれぞれにスライド自在に組み付けられ、環状部が設けられた吊り金具と、
を有することを特徴とする表示体。
【請求項５】
前記表示プレートには、高輝度蛍光物質を含む下地シートが貼付され、
前記下地シート上には、封入レンズ型反射シートにより形成された文字、図形若しくは記号又はこれらの組合せが貼付されることを特徴とする請求項４記載の表示体。
【考案の詳細な説明】
【技術分野】
【０００１】
本考案は、工事現場等において各種情報を表示するための表示装置及び表示体に関する。
【背景技術】
【０００２】
従来、工事現場等において、通行車両や通行人を特定の経路に案内・誘導するために、横向きの矢印が表示された断面逆Ｖ字型の表示板（以下、「山型表示板」と称する。）が多用されている（例えば、特許文献１参照）。かかる山型表示板は、それぞれの上辺が連結された２枚のプレートを山型に自立してなり、通路上又は通路等に近接した地面上に設置される。
【先行技術文献】
【特許文献】
【０００３】
【特許文献１】実用新案登録第３２１３７３６号公報
【考案の概要】
【考案が解決しようとする課題】
【０００４】
前述の山型表示板は、積雪があると表示面が見づらくなる、通路等の一部を占有するため工事作業や通行の妨げとなる、強風や接触により転倒するおそれがあるといった問題がある。
【０００５】
本考案は、上記課題に鑑みてなされたもので、工事現場等において各種情報を表示するために用いることができ、視認性が高く、通行の妨げとならず、かつ、安全に設置することが可能な表示装置及び表示体を提供することを目的とする。
【課題を解決するための手段】
【０００６】
（Ａ）
上辺近傍及び下辺近傍のそれぞれに複数穿設される貫通穴、
及び／又は、
上辺及び下辺のそれぞれにスライド自在に組み付けられ、環状部が設けられた吊り金具、
を備える表示体と、
（Ｂ）
被設置対象部に取り付けられる取付部、
及び、
前記貫通穴又は前記環状部のいずれかに取り付けられる挿入部、
を備える複数の表示体設置用部材と、
を有することを特徴とする。
【０００７】
前記表示体設置用部材は、
前記取付部が、前面板部と、後面板部と、当該前面板部の上端と当該後面板部の上端とを連結する連結板部とにより構成される断面逆Ｕ字状の取付部であって、
前記挿入部が、前記前面板部に突設され、先端が上向きに折れ曲る断面Ｌ字状の挿入部であって、
前記後面板部に前後進可能に装着されるボルトを備える取付け金具であっても良い。
【０００８】
前記表示体設置用部材は、ゴムバンドであって、
前記取付部が円環状の輪通し部であり、前記挿入部がカギ状のフックであっても良い。
【０００９】
本考案の表示体は、
上辺近傍及び下辺近傍のそれぞれに貫通穴が複数穿設され、上辺及び下辺のそれぞれにガイドレールが取り付けられた矩形状の表示プレートと、
前記ガイドレールのそれぞれにスライド自在に組み付けられ、環状部が設けられた吊り金具と、
を有することを特徴とする。
【００１０】
本考案の表示体は、好ましくは、
前記表示プレートには、高輝度蛍光物質を含む下地シートが貼付され、
前記下地シート上には、封入レンズ型反射シートにより形成された文字、図形若しくは記号又はこれらの組合せが貼付されるようにしても良い。
【考案の効果】
【００１１】
本考案によれば、工事現場等において各種情報を表示するために用いることができ、視認性が高く、通行の妨げとならず、かつ、安全に設置することができる。
【図面の簡単な説明】
【００１２】
【図１】本考案の一実施の形態である表示装置の第１の使用例を示す正面図である。
【図２】図１に示す表示装置の第２の使用例を示す右側面図である。
【図３】図１に示す表示装置の第３の使用例を示す正面図である。
【図４】図１に示す表示体の正面図である。
【図５】図４に示す表示体の上辺近傍を左側面方向から概略的に示す図である。
【図６】図１に示す表示体設置用部材である取付け金具の斜視図である。
【図７】図６に示す表示体設置用部材である取付け金具の左側面図である。
【考案を実施するための形態】
【００１３】
以下、実施の形態を用いて本考案を具体的に説明するが、本考案は下記使用例に限定されるものではない。
【００１４】
図１は本考案の一実施の形態である表示装置１の第１の使用例を示す正面図であり、特に、取付け金具３と表示プレート２１の下辺近傍の貫通穴２１１に取り付けられたゴムバンド４を用いて、被設置対象部であるトラック９の後部に表示体２を設置した状態を示す図である。図２は図１に示す表示装置１の第２の使用例を示す右側面図であり、特に、取付け金具３と表示プレート２１の側辺近傍の貫通穴２１１に接続されたゴムバンド４を用いて、トラック９の後部に表示体２を設置した状態を示す図である。図３は図１に示す表示装置１の第３の使用例を示す正面図であり、吊り金具２３を任意の位置に移動させた後、吊り金具２３並びに貫通穴２１１に接続されたゴムバンド４を用いて、トラック９の後部に表示体２を設置した状態を示す図である。図３に示す場合には、表示体２は、図１に示す場合と上下を入れ替えて取り付けられており、矢印が逆方向を指している。本考案に係る表示体は、トラック９の後アオリ９１のような略鉛直に配置された板状部に設置可能であるが、これに限られず、例えば、高所作業車のバケットや、金網フェンス、格子状の柵、壁など、略鉛直に配置された板状、壁状又は柵状の部材等に設置して使用することができる。
【００１５】
表示装置１は、表示体２と、複数の表示体設置用部材と、を有し、複数の表示体設置用部材を用いて表示体２を被設置対象部であるトラック９の後部に設置している。より具体的には、（Ａ）上辺近傍及び下辺近傍のそれぞれに複数穿設される貫通穴２１１、及び、上辺及び下辺のそれぞれにスライド自在に組み付けられ、環状部２３２が設けられた吊り金具２３を備える表示体２と、（Ｂ）被設置対象部に取り付けられる取付部、及び、貫通穴２１１又は環状部２３２のいずれかに取り付けられる挿入部、を備える複数の表示体設置用部材と、を有し、複数の表示体設置用部材を用いて表示体２を後アオリ９１に設置している。第１及び第２の使用例においては、表示体設置用部材として取付け金具３及びゴムバンド４を併用している。なお、表示体は、上辺近傍及び下辺近傍のそれぞれに複数穿設される貫通穴のみ、又は、上辺及び下辺のそれぞれにスライド自在に組み付けられる環状部が設けられた吊り金具のみ、のいずれかを備えるものであっても足りる、より具体的には、前者の貫通穴のみを備える場合には貫通穴に表示体設置用部材の挿入部を取り付けることにより表示体を被設置対象部に設置するようにしても良く、後者の吊り金具のみを備える場合には当該環状部に表示体設置用部材の挿入部を取り付けることにより表示体を被設置対象部に設置するようにしても良い。
【００１６】
上述の構成を有する表示装置によれば、工事現場等において、地面よりも高い位置に配置されるトラックの後アオリ等に、各種情報が表示された表示体を設置することができ、地面上に設置するタイプのものに比して視認性が高く、通路上に設置しないため通行の妨げとならず、かつ、取付け金具３やゴムバンド４等の複数の表示体設置用部材を用いて強固に設置することができ、強風や接触による転倒のおそれがなく安全である。次に、表示装置１及び表示体２の構成及び作用をより詳しく説明する。
【００１７】
図４は図１に示す表示体２の正面図である。表示体２は、各種情報が表示される貫通穴２１１が穿設された表示プレート２１や環状部２３２が設けられた吊り金具２３等を有する。表示プレート２１は、矩形状であり、表示プレート２１の上辺近傍及び下辺近傍のそれぞれに貫通穴２１１が２つずつ穿設されている。これらの複数の貫通穴２１１のうち表示プレート２１の上辺側に配置された貫通穴２１１に、取付け金具３やゴムバンド４等の表示体設置用部材を取り付けることにより、表示プレート２１を吊り下げ支持することができる。すなわち、表示プレート２１は、１８０°回転させて上下を入れ替えても掛け止めることができ、例えば、図示するように、横矢印が描かれた表示プレート２１であれば、上下を入れ替えたときに上辺側に配置される貫通穴２１１に表示体設置用部材を取り付けることにより、左右いずれの方向でも表示することが可能な矢印表示板として使用することができる。なお、図示する表示プレート２１とは異なり、表示プレートの上辺近傍にのみ貫通穴を穿設するとともに、当該表示プレートの表面及び裏面のそれぞれに横矢印等の各種情報を表記し、表裏を入れ替えることによって矢印の向き等の各種情報を変えるようにしても良い。
【００１８】
表示プレート２１の各辺にはアルミフレーム２２が取り付けられており、表示プレート２１の強度が確保されている。表示プレート２１の上辺及び下辺のそれぞれに取り付けられるアルミフレーム２２は、吊り金具２３をスライド自在に組み付けるためのガイドレールとしても機能する。上辺側ガイドレール部２２１及び下辺側ガイドレール部２２２のそれぞれには、アルミフレームに沿って往復動（スライド）自在に、環状部２３２が設けられた吊り金具２３が２個ずつ組み付けられている。表示体２の四隅には、保護用の樹脂コーナー２４が取り付けられている。
【００１９】
図５は図４に示す表示体の上辺近傍を左側面方向から概略的に示す図である。アルミフレーム２２は、図５に示すように、表示プレート２１の厚さ方向に膨出し、表示プレート２１の表面及び裏面のそれぞれから突出しており、この突出部にスライダー２３１がスライド可能に組み付けられている。吊り金具２３は、スライダー２３１と、スライダー２３１に設けられた環状部２３２とにより構成されている。ゴムバンド４の取付部４１をトラック９のバンパ９２や突起部９３に結び付ける等して取り付け、ゴムバンド４の挿入部４２を環状部２３２に取り付けることにより、後アオリ９１に対して表示体２を設置することができる。強風等によるばたつきを防止するため、図１ないし図３に示すように、適宜、複数のゴムバンド４をトラック９の後部に結び付けるようにしても良い。なお、表示体設置用部材としては、ゴムバンド４に限らず、紐状の部材を用いることもできる。
【００２０】
表示体２は、上辺近傍及び下辺近傍のそれぞれに貫通穴２１１が複数穿設され、上辺及び下辺のそれぞれにガイドレール部２２１、２２２が取り付けられた矩形状の表示プレート２１と、ガイドレール部２２１、２２２のそれぞれにスライド自在に組み付けられ、環状部２３２が設けられた吊り金具２３と、を有する。表示体２には、表示体取付用部材を取り付け可能な貫通穴２１１や吊り金具２３が上辺側及び下辺側のそれぞれに複数設けられているため、各挿入部が適宜の貫通穴２１１や環状部２３２に取り付けられた複数の表示体取付用部材を用いて、地面よりも高い位置に配置された後アオリ９１等に設置することができる。かかる構成を有することにより、地面上に設置するタイプのものに比して視認性が高く、通路上に設置しないため通行の妨げとならず、かつ、被設置対象部に対して強固に設置することができ、強風や接触による転倒のおそれがなく安全な表示体として使用することができる。加えて、貫通穴２１１や吊り金具２３が表示プレート２３の上下に設けられていることから、上下を入れ替えて設置することもでき、本実施例のように横矢印が描かれた表示プレート２１であれば、１台で左右いずれの方向でも表示することができ、利便性に優れる。
【００２１】
表示プレート２１には、その側辺近傍（左側辺部２２３近傍及び右側辺部２２４近傍）にも貫通穴２１１が穿設されている。この側辺近傍に設けられた貫通穴２１１は、強風によるばたつきを防止したり、強固に設置したりする際に利用することができる。
【００２２】
表示プレート２１は、各種情報が表示される表示面を備える部材である。本実施の形態の表示プレート２１は、アルミ製のベースに、高輝度蛍光物質を含む下地シート２１２を貼付し、下地シート２１２上に封入レンズ型反射シート２１３により形成された文字、図形若しくは記号又はこれらの組合せ（例えば、横矢印形に切り抜いたシート）を貼付することにより形成されている。これにより、表示体２に通行車両の前照灯が当たった時に、反射率の違いから表示プレート２１全体が白く反射しないため、表示情報の視認性を高めることができる。なお、表示プレート２１の表示面には、従来技術を含む様々な手段により情報を表記しても良い。
【００２３】
上辺近傍及び下辺近傍に設けられる貫通穴２１１は、好ましくは、表示プレート２１の隅部ではなく、左側辺部２２３及び右側辺部２２４から、上辺寸法の０．２倍以上の間隔を設けて穿設される。これにより、被設置対象部の取付スペースが狭い場合であっても、取付け金具３を、貫通穴２１１の間隔に対応する間隔で取り付けて、表示プレート２１を掛け止めることができる。なお、表示体２は、縦幅約５５０ｍｍ、横幅約９００ｍｍであり、上辺近傍及び下辺近傍には貫通穴２１１として約３０ｍｍの長穴が側辺から約２３５ｍｍの間隔を設けて穿設されている。
【００２４】
図６は図１に示す表示体設置用部材の一例である取付け金具３の斜視図であり、図７は図６に示す取付け金具３の左側面図である。取付け金具３は、取付部である金具本体３１と、挿入部である係合片３２と、後面板部３１２に前後進可能に装着されるボルト３４と、を有する。より詳しくは、表示体設置用部材である取付け金具３は、取付部である金具本体３１が、後アオリ９１の外面に対向配置される前面板部３１１と、後アオリ９１の内面に対向配置される後面板部３１２と、後アオリ９１の天端に対向配置され前面板部３１１の上端と後面板部３１２の上端とを連結する連結板部３１３とにより構成される断面逆Ｕ字状の取付部であって、挿入部である係合片３２が、前面板部３１１に突設され、先端が上向きに折れ曲る断面Ｌ字状の挿入部であって、後面板部３１２に前後進可能に装着されるボルト３４を備える。本実施の形態においては、後面板部３１２の上下（高さ）方向に沿って略等間隔に３本のボルト３４が設けられているが、かかる本数に限定は無い。この金具本体３１を後アオリ９１の天端に差し込んだ後、ボルト３４をねじ回すことにより、後アオリ９１に対して取付け金具３を取り付ける。それぞれのボルト３４は、後述のナット３５に挿入されることで、ねじ回すことによりボルトの移動量ないし押圧力を調節することができ、被設置対象部に当接させることで取付け金具３の脱落が防止される。
【００２５】
取付部である金具本体３１は、鋼板を略直角に折り曲げることにより形成することができる。この金具本体３１の後面板部３１２に対して通し孔３１２１を穿設し、通し孔３１２１の裏面側開口部に連通するように後面板部３１２に雌ネジ部材としてのナット３５を固設して、通し孔３１２１及びナット３５にボルト３４を挿入することにより、後面板部３１２に対してボルト３４を前後進可能に装着することができる。なお、図示する取付け金具３の前面板部３１１の上下（高さ）方向の寸法は、後面板部３１２よりも短く設定しているが、後面板部３１２と同等の長さ、若しくは、後面板部３１２よりも長く設定することにより、後アオリ９１から脱落しにくくしても良い。
【００２６】
挿入部である係合片３２は、前面板部３１１に突設される受け部３２１と、受け部３２１と一体として設けられ上向きに延びる挿入部３２２とにより構成されており、例えば、１枚の鋼板をＬ字状に折り曲げ、受け部３２１側を前面板部３１１の表面に溶接等により固定することにより形成される。本実施の形態においては、貫通穴２１１が約３０ｍｍの長穴であり、係合片３２が幅寸法２０ｍｍの板材を折り曲げて形成されており、貫通穴２１１に対して係合片３２（挿入部）が挿入可能となっている。係合片３２は、望ましくは、貫通穴２１１及び環状部２３２のいずれにも挿入可能な寸法で形成される。係合片３２の係合部３２２に表示プレート２１の上側に配置された貫通穴２１１を挿入し、受け部３２１にて表示プレート２１を支持することにより、取付け金具３に対して表示プレート２が掛け止められる（図１及び図２参照）。なお、係合片としては、断面Ｌ字状のものに限らず、表示プレート２を掛け止められるものであれば、Ｊ字状やＧ字状の任意の形状のものを選択できる。
【００２７】
前面板部３１１側に配置されるボルト３４の先端側には被設置対象部を保護するゴムキャップ３７が装着され、ボルト３４の基端側にはナット３６が螺入されている。ナット３５に対してナット３６を締め付けることによりボルト３４の緩みや移動を防止し、ボルト３４の締め込み過ぎ等による被設置対象部の損傷を防止することができる。取付け金具３は、前面板部３１１の表面と受け部３２１の底面とに接合される三角形状の補強プレート３３を有しており、強度が確保されている。取付け金具３は、防錆のため、適宜、メッキ処理しても良い。
【００２８】
ゴムバンド４は、伸縮可能なゴム製の本体部４１と、本体部４１の一端に設けられ被設置対象部に取り付けられる取付部４２と、本体部４１の他端に設けられ、貫通穴２１１又は環状部２３２のいずれかに取り付けられる挿入部４３と、を備える。ゴムバンド４としては、荷役用具等として通常一般に使用されるものを用いることができるが、例えば、取付部４２として円環状の輪通し部が一端に設けられ、挿入部４３としてカギ状のフックが他端に設けられたものを用いることができ、取付部４２をトラック９の突起部９３に取り付け、挿入部４３を貫通穴２１１又は環状部２３２に引っ掛けて取り付けることにより、表示体２を設置することもできる（図３等参照）。
【００２９】
本考案は、上記実施例に限定されず、本考案の趣旨を逸脱しない範囲で種々変形実施が可能である。上記実施の形態においては、表示板は工事用の矢印板であるが、本考案は工事用に限られず、各種の情報を掲示する種々の標識又は看板全般に適用することができ、台形や逆三角形等の種々の形状の表示体にも適用することができる。取付け金具３の挿入部である係合片３２を構成する受け部３２１及び係合部３２２を棒状に構成し、貫通穴２１１を真円状に形成するようにしても良い。本実施の形態においては、上辺近傍及び下辺近傍のそれぞれに２つずつ貫通穴２１１が穿設されるとともに、上辺及び下辺のそれぞれに吊り金具２３が２つずつ組み付けられているが、これらの個数は適宜増減させても良い。
【産業上の利用可能性】
【００３０】
本考案は、工事現場等において各種情報を表示するために用いることができる。
【符号の説明】
【００３１】
１        表示装置
２        表示体
２１      表示プレート
２１１    貫通穴
２１２    下地シート
２１３    封入レンズ型反射シート
２２      フレーム
２２１    上辺側ガイドレール部
２２２    下辺側ガイドレール部
２２３    左側辺部
２２４    右側辺部
２３      吊り金具
２３１    スライダー
２３２    環状部
２４      樹脂コーナー
３        取付け金具
３１      金具本体（取付部）
３１１    前面板部
３１２    後面板部
３１２１  通し孔
３１３    連結板部
３２      挿入片（挿入部）
３２１    受け部
３２２    係合部
３３      補強プレート
３４      ボルト
３５      ナット（雌ネジ部材）
３６      ナット
３７      ゴムキャップ
４        ゴムバンド
４１      本体部
４２      取付部
４３      挿入部
９        トラック
９１      後アオリ
９２      リヤバンパ
９３      突起部
【図１】
0003219202.tif 000003
【図２】
0003219202.tif 000004
【図３】
0003219202.tif 000005
【図４】
0003219202.tif 000006
【図５】
0003219202.tif 000007
【図６】
0003219202.tif 000008
【図７】
0003219202.tif 000009